(57)【要約】【課題】磁石が吸着する磁気性能を有する実質垂直な設置面に対して裏面がマグネット層である可撓性を有する投影シートを磁着させて展開して使用される投影スクリーン装置１の設置面からのずれ動きや脱落を防止する。【解決手段】設置面の上下部に左右方向に平行に配設されたレール部材と、レール部材に沿って移動可能な上下の移動部材と、回転付勢機構部の回転付勢力で回転して投影シートを巻き取る、及び、回転付勢力に抗する逆回転で投影シートを繰り出すロール部材であって、両端部がそれぞれ上下の移動部材に保持されているロール部材と、投影シートの他端部に配設されており設置面の左右方向の一端側または他端側に固定された投影シート端末部材と、ロール部材を移動させるための操作部材と、を有し、ロール部材は設置面に対して近づく方向と遠のく方向とに平行移動可能に一端部と他端部がそれぞれ上下の移動部材に対して可動に支持されている。【選択図】図１
2019020641.tif 000002
【特許請求の範囲】
【請求項１】
磁石が吸着する磁気性能を有する実質垂直な設置面に対して裏面がマグネット層である可撓性を有する投影シートを磁着させて展開して使用される投影スクリーン装置であって、
重力方向において前記設置面の上部と下部にそれぞれ前記設置面を正面から見て左右方向に延伸させて平行に固定して配設された上下のレール部材と、
前記上下のレール部材にそれぞれ保持されておりレール部材に沿って移動可能な上下の移動部材と、
前記投影シートの左右方向の一端部が係止されており、回転付勢機構部により一方向に回転付勢されてその回転付勢力による回転で前記投影シートを裏面側が外側となるようにロール巻きに巻き取る、及び、前記回転付勢機構部の回転付勢力に抗する逆回転で前記投影シートを繰り出すロール部材であって、回転軸線方向の一端部と他端部がそれぞれ前記上下の移動部材に保持されているロール部材と、
前記投影シートの前記一端部とは逆側の他端部に配設されており前記設置面の左右方向の一端側または他端側に固定された投影シート端末部材と、
前記設置面の左右方向において、前記上下の移動部材を前記ロール部材と共に前記上下のレール部材に沿って前記ロール部材から前記投影シートを繰り出させる方向、及び、前記投影シートを前記ロール部材に巻き取らせる方向に移動させるための操作部材と、
を有し、前記ロール部材は前記設置面に対して近づく方向と遠のく方向とに平行移動可能に前記一端部と他端部がそれぞれ前記上下の移動部材に対して可動に支持されていることを特徴とする投影スクリーン装置。
【請求項２】
前記ロール部材は、前記一端部の軸部と前記他端部の軸部がそれぞれ前記上下の移動部材の側に設けられた長穴に係合しており、前記長穴の長さ範囲において前記設置面に近づく方向と遠のく方向とに平行移動可能であることを特徴とする請求項１に記載の投影スクリーン装置。
【請求項３】
前記操作部材は前記ロール部材の回転軸線を中心に揺動可能に配設されており、前記設置面に磁着するマグネットを備えていることを特徴とする請求項１又は２に記載の投影スクリーン装置。
【請求項４】
前記ロール部材の外側面を覆って防護するカバー部材が配設されていることを特徴とする請求項１乃至３の何れか一項に記載の投影スクリーン装置。
【請求項５】
前記カバー部材は前記操作部材に支持されて配設されていることを特徴とする請求項４に記載の投影スクリーン装置。
【請求項６】
前記カバー部材は前記上下の移動部材に支持されて配設されていることを特徴とする請求項４に記載の投影スクリーン装置。
【請求項７】
前記設置面は正面側から見て左右方向に沿って凹曲しており、前記上下のレール部材は前記凹曲に倣って左右方向に沿って凹曲していることを特徴とする請求項１乃至６の何れか一項に記載の投影スクリーン装置。
【請求項８】
前記設置面は学校の教室の黒板面であることを特徴とする請求項１乃至７の何れか一項に記載の投影スクリーン装置。
【発明の詳細な説明】
【技術分野】
【０００１】
本発明は、磁石が吸着する磁気性能を有する実質的に垂直な設置面に対して、裏面がマグネット層である可撓性を有する投影シート（プロジェクタから投影される像を映し出すスクリーンシート）を磁着させて展開して使用される投影スクリーン装置（マグネットスクリーン装置）に関する。
【０００２】
ここで、磁石が吸着する磁気性能を有する実質的に垂直な設置面としては、代表的には、学校の教室の磁性黒板（スチール黒板（白板も含む））が挙げられる。その他、会議室や、学会・講演会・展示会等の会場における上記磁気性能を有する、固定または可動の壁面やボード等が挙げられる。
【背景技術】
【０００３】
上記のような投影スクリーン装置として特許文献１のものが知られている。これは、裏面がマグネット面である可撓性を有する投影シートを巻き取るロール部材を有する。このロール部材が収容されたケーシングを有する。ケーシングの裏面にはケーシング・マグネットが設けられている。投影シートの端部には操作バーが設けられている。操作バーによって投影シートのロール部材からの巻き出し又はロール部材への巻き取りを行うことができる。操作バーの裏面にもマグネットが設けられている。投影シートは非使用時にはロール部材にロール巻きに巻き込まれてケーシング内に格納されている。この装置の使用態様としては、投影シートを直接的に巻き出す第１の使用態様と、ケーシングをスライド移動させる第２の使用態様がある。
【０００４】
第１の使用態様は、ケーシングをケーシング・マグネットにより設置面に磁着させて固定した後、操作バーを投影シートがケーシング内のロール部材から巻き出される方向へと移動させる。投影シートを所望の長さ分巻き出したら操作バーをその裏面のマグネットにより設置面に磁着させて固定する。投影シートの裏面はマグネット面であるから巻き出された投影シートは設置面に磁着して展開した状態が保持される。
【０００５】
第２の使用態様は、操作バーをその裏面のマグネットにより設置面に磁着させて固定させた状態で、ケーシングを設置面に沿ってスライド移動させることによって投影シートの巻き出しを行う。投影シートを所望の長さ分巻き出したらケーシングをケーシング・マグネットにより設置面に磁着させて固定する。この場合も投影シートの裏面はマグネット面であるから巻き出された投影シートは設置面に磁着して展開した状態が保持される。
【先行技術文献】
【特許文献】
【０００６】
【特許文献１】特開２０１６−１６７０２５号公報
【発明の概要】
【発明が解決しようとする課題】
【０００７】
特許文献１の装置は第１の使用形態、第２の使用形態の何れの場合も、ケーシング・マグネットの磁着力、操作バーのマグネットの磁着力、および展開された投影シートのマグネット面の磁着力によって装置全体が垂直な設置面に対して磁気保持される。即ち、装置全体の重量をマグネットの磁着力のみで垂直な設置面に支持させるものである。
【０００８】
実際上数Ｋｇ以上の重量物となる投影スクリーン装置を垂直な設置面に対して磁着力だけで安定に支持させるにはマグネットの磁着力を強力なものにすればよい。しかし、その強力にした磁着力が逆に使用後の装置の設置面からの取り外しを困難化させることになる。従って、磁着力は設置面に対する装置の安定的な支持と設置面からの装置の取り外しの容易さとが兼ね合う適度な磁着力に設定することになる。
【０００９】
しかし、その設定範囲は狭くて、ややもすると、設定磁着力が弱かったことで、或いはマグネットの磁着力が経時的に低下したことで、あるいはマグネットの汚れや異物付着、もしくは設置面の汚れや濡れなどが原因して、設置面に磁着させた装置が自重や他物からの予期しない作用力により、下方に容易にずれ動いたり、設置姿勢が傾いたり、若しくは脱落したりすることが懸念される。また、設定磁着力が強すぎたことで使用後の装置の設置面からの取り外しが困難となることも懸念される。
【００１０】
そこで、本発明は設置面からのずれ動きや脱落を生じ得ないマグネットスクリーンタイプの投影スクリーン装置を提供することを目的とする。また、設置面に対する投影シートのロール部材からの繰り出し展開、及び、設置面に展開された投影シートのロール部材による巻き取りがスムーズになされるマグネットスクリーンタイプの投影スクリーン装置を提供することを目的とする。
【課題を解決するための手段】
【００１１】
上記の目的を達成するための本発明に係るスクリーン装置の代表的な構成は、
磁石が吸着する磁気性能を有する実質垂直な設置面に対して裏面がマグネット層である可撓性を有する投影シートを磁着させて展開して使用される投影スクリーン装置であって、
重力方向において前記設置面の上部と下部にそれぞれ前記設置面を正面から見て左右方向に延伸させて平行に固定して配設された上下のレール部材と、
前記上下のレール部材にそれぞれ保持されておりレール部材に沿って移動可能な上下の移動部材と、
前記投影シートの左右方向の一端部が係止されており、回転付勢機構部により一方向に回転付勢されてその回転付勢力による回転で前記投影シートを裏面側が外側となるようにロール巻きに巻き取る、及び、前記回転付勢機構部の回転付勢力に抗する逆回転で前記投影シートを繰り出すロール部材であって、回転軸線方向の一端部と他端部がそれぞれ前記上下の移動部材に保持されているロール部材と、
前記投影シートの前記一端部とは逆側の他端部に配設されており前記設置面の左右方向の一端側または他端側に固定された投影シート端末部材と、
前記設置面の左右方向において、前記上下の移動部材を前記ロール部材と共に前記上下のレール部材に沿って前記ロール部材から前記投影シートを繰り出させる方向、及び、前記投影シートを前記ロール部材に巻き取らせる方向に移動させるための操作部材と、
を有し、前記ロール部材は前記設置面に対して近づく方向と遠のく方向とに平行移動可能に前記一端部と他端部がそれぞれ前記上下の移動部材に対して可動に支持されていることを特徴とする。
【発明の効果】
【００１２】
本発明によれば、設置面からのずれ動きや脱落を生じ得ないマグネットスクリーンタイプの投影スクリーン装置を提供することができる。また、設置面に対する投影シートのロール部材からの繰り出し展開、及び、設置面に展開された投影シートのロール部材による巻き取りがスムーズになされるマグネットスクリーンタイプの投影スクリーン装置を提供することができる。
【図面の簡単な説明】
【００１３】
【図１】（ａ）は実施例の投影スクリーン装置の使用時（投影シート展開状態時）の正面模式図、（ｂ）は同装置の不使用時（投影シート巻き込み状態時）の正面模式図である。
【図２】レール部材の部分的な斜視模式図である。
【図３】（ａ）は上側の移動部材の斜視模式図、（ｂ）は下側の移動部材の斜視模式図である。
【図４】（ａ）はロール部材の斜視模式図、（ｂ）は投影シートがロール部材に対して裏面側が外側となるようにロール巻きに巻き込まれている状態時の斜視模式図である。
【図５】ロール部材の一端部側（上端部側）、及びこれに係合する部材の分解斜視模式図である。
【図６】（ａ）は上側の移動部材とロール部材の上端部の係合部を示した模式図、（ｂ）は下側の移動部材とロール部材の下端部の係合部を示した模式図である。
【図７】操作部材の分解斜視模式図である。
【図８】（ａ）はロール部材の一端部側（上端部側）と操作部材の上側部材との係合部を示した模式図、（ｂ）はロール部材の他端部側（下端部側）と操作部材の下側部材との係合部を示した模式図である。
【図９】効果の説明図である。
【図１０】凹曲黒板に対する実施形態図である。
【図１１】カバー部材を配設した例の説明図である。
【発明を実施するための形態】
【００１４】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００１５】
《実施例》
以下の説明において、上下とは重力方向において上と下である。前後とは投影スクリーン装置を配設する実質垂直な設置面を正面から設置面を正面から見て手前側と奥側である。左右とは設置面を正面から見て左と右である。
【００１６】
図１の（ａ）は本発明に従って構成された具体的な投影スクリーン装置１の使用時（投影シート展開状態時）の正面模式図、（ｂ）は同装置１の不使用時（投影シート巻き込み（格納）状態時）の正面模式図である。１００はこの装置１を設置する、磁石が吸着する磁気性能を有する実質垂直な設置面である。本実施例では、便宜上、学校の教室の磁性黒板（スチール黒板：以下、黒板と記す）とする。装置１は黒板１００の板面に対して裏面がマグネット層である可撓性を有する投影シート（マグネットスクリーン）２を図１の（ａ）のように磁着させて展開（投影面が正面側）して使用される。
【００１７】
（１）レール部材
装置１は、黒板１００の上部（黒板上辺部）と下部（黒板下辺部）にそれぞれ左右方向に延伸させて平行に固定して配設された上下のレール部材３Ｕ・３Ｄを有する。本実施例において、この上下のレール部材３Ｕ・３Ｄは、図２の部分的な模式図ように、横断面略Ｃ字形の金属型材（Ｃ型チャンネル材）である。この型材のスリット開口部３１を有する面側を正面側にしてそれぞれ上下のレール部材３Ｕ・３Ｄとして黒板１００の上辺部と下辺部に適宜の取付け手段（不図示）にて固定して配設されている。
【００１８】
（２）移動部材
この上下のレール部材３Ｕ・３Ｄにそれぞれ保持されておりレール部材３Ｕ・３Ｄに沿って移動可能な上下の移動部材（スライダ）４Ｕ・４Ｄを有する。図３の（ａ）は上側の移動部材４Ｕの斜視模式図、（ｂ）は下側の移動部材４Ｄの斜視模式図である。本実施例の移動部材４Ｕ・４Ｄは、アルミダイキャスト製の基体４１と、この基体４１に回転可能に軸支させた複数個の縦コロ４２及び横コロ４３と、基体４１の前面側に突出させて具備させた、基体４１と一体成型の前方張出し板部４４と、を有する。前方張出し板部４４には２つのボルト差し込み穴（不図示）が形成されている。縦コロ４２は前後方向の軸を中心に回転可能なコロ、横コロ４３は上下方向の軸を中心に回転可能なコロである。
【００１９】
上下の移動部材４Ｕ・４Ｄはそれぞれ基体４１と複数個の縦コロ４２及び横コロ４３の部分を上下のレール部材３Ｕ・３Ｄのチャンネル内に嵌入させると共に基体４１の前方張出し板部４４をレール部材３Ｕ・３Ｄのスリット開口部３１から外側（レール部材前面側）に突出させて、レール部材３Ｕ・３Ｄに保持させてある。従って、上下の移動部材４Ｕ・４Ｄはそれぞれ上下のレール部材３Ｕ・３Ｄチャンネル内をレール部材長手に沿って滑らかに移動可能である。上下のレール部材３Ｕ・３Ｄの左右の端末部にはチャンネル開口部を閉鎖して移動部材４Ｕ・４Ｄの抜け止めをするストッパ部材３２（図１）が取り付けられている。
【００２０】
上下の移動部材４Ｕ・４Ｄの前方張出し板部４４にはそれぞれコの字型の軸受け部材（軸受け金具）４５がボルト４７・ナット４８により取り付けられている。上下の軸受け部材４５はそれぞれ同じ構成の部材であり、コの字型の一方の腕板部４５ａには軸受け用の長穴４６が形成されており、他方の腕板部４５ｂには２つのボルト差し込み穴（不図示）が形成されている。
【００２１】
そして、上側の移動部材４Ｕの前方張出し板部４４には、図３の（ａ）の模式図ようにその下面側に上記軸受け部材４５の他方の腕板部４５ｂをあてがいそれぞれの２つのボルト差し込み穴を対応合致させてボルト４７を差し込みナット４８で締め込むことにより軸受け部材４５が下向きに取り付けられている。この軸受け部材４５の取り付け状態において一方の腕板部４５ａの軸受け用の長穴４６はその長軸線が前後方向となる関係構成にされている。
【００２２】
また、下側の移動部材４Ｄの前方張出し板部４４には、図３の（ｂ）の模式図ように、その上面側に上記軸受け部材４５の他方の腕板４５ｂをあてがいそれぞれの２つのボルト差し込み穴を対応合致させてボルト４７を差し込みナット４８で締め込むことによりの軸受け部材４５が上向きに取り付けられている。この軸受け部材４５の取り付け状態において一方の腕板４５ａの軸受け用の長穴４６はその長軸線が前後方向となる関係構成にされている。
【００２３】
本実施例においては、上記の上下の軸受け部材４５もそれぞれ上下の移動部材４Ｕ・４Ｄの構成部材に含めている。また、軸受け部材４５も移動部材４Ｕ・４Ｄの基体４１と一体の成型部として構成してもよい。
【００２４】
（３）ロール部材
装置１は、投影シート２の左右方向の一端部が係止されており、回転付勢機構部により一方向に回転付勢されてその回転付勢力による回転で投影シート２を裏面側（マグネット層側）が外側となるようにロール巻きに巻き取る、及び、回転付勢機構部の回転付勢力に抗する逆回転で投影シート２を繰り出すロール部材５を有する。
【００２５】
図４の（ａ）は本実施例におけるロール部材５の斜視模式図である。ロール部材５は、円筒部５１と、円筒部５１の両端部に装着された一端側と他端側の軸受け部材５２Ｕ・５２Ｄと、この両軸受け部材５２Ｕ・５２Ｄ間に支持された中央部の丸軸５３と、円筒部５１に内蔵された回転付勢機構５４と、を有する。軸受け部材５２Ｕ・５２Ｄはそれぞれ円筒部５１の外径と同じ外径の円形のキャップ状部材であり、円筒部５１の端部に嵌め合わせて固定して装着されている。
【００２６】
軸受け部材５２Ｕ・５２Ｄはそれぞれ中央部に丸穴５２ａを有する。丸軸５３はその一端部と他端部がそれぞれ一端側と他端側の軸受け部材５２Ｕ・５２Ｄの丸穴５２ａに嵌入している。円筒部５１は両端部の軸受け部材５２Ｕ・５２Ｄと共に丸軸５３を中心に回転可能である。円筒部５１に内蔵された回転付勢機構部５４は、両端部の軸受け部材５２Ｕ・５２Ｄを含む円筒部５１を、丸軸５３を中心に一方向に回転付勢する機構部である。この回転付勢機構部５４としてはスプリング式機構等が公知であるから、ここではその詳細な説明は割愛する。
【００２７】
投影シート２の左右方向の一端部、本実施例では投影シート２の左側端部が円筒部５１に対して係止されている。従って、投影シート２は回転付勢機構部５４の回転付勢力により、両端部の軸受け部材５２Ｕ・５２Ｄを含む円筒部５１の回転で円筒部５１に対する巻き込み力を受け、自由状態においては、投影シート２は円筒部５１に対してロール巻きに巻き込まれる。
【００２８】
即ち、ロール部材５は回転付勢機構部５４の回転付勢力による回転で投影シート２を本実施例においては裏面側（マグネット層側）が外側となるようにロール巻きに巻き取る。図４の（ｂ）は投影シート２がロール部材５に対して裏面側が外側となるようにロール巻きに巻き取られた状態時の斜視図である。また、逆に、ロール部材５に対してロール巻きに巻き込まれている投影シート２はロール部材５の回転付勢機構部５４の回転付勢力に抗する逆回転でロール部材５から繰り出される。
【００２９】
投影シート２の上記一端部とは逆側の他端部、本実施例においては右側の端部には投影シート端末部材６が配設されている。本実施例においては、投影シート端末部材６として投影シート２の縦幅と同じ長さのアルミの角型パイプ材を用い、これを投影シート２の右側の端部の縦縁に沿って接着材等の固着手段で取り付けてある。
【００３０】
ロール部材５は回転軸線方向Ｏ−Ｏの一端部（上端部）と他端部（下端部）がそれぞれ上下の移動部材４Ｕ・４Ｄに保持されて縦向き姿勢に配設されている。また、ロール部材５は黒板１００の板面に対して近づく方向と遠のく方向とに平行移動可能に上端部と下端部がそれぞれ上下の移動部材４Ｕ・４Ｄに対して可動に支持されている。
【００３１】
この構成に関して、本実施例においては、ロール部材５の丸軸５３の一端部（上端部）と他端部（下端部）をそれぞれ軸受け部材５２Ｕ・５２Ｄの丸穴５２ａから外側に突出させてある。そして、その丸軸５３の突出部は、基部側は丸軸部５３ａとして所定の長さ残し、それより先の部分は角軸部５３ｂとして切削加工されている。図５に、ロール部材５の一端部側（上端部側）、及びこれに係合する部材の分解斜視模式図を示した。ロール部材５の他端部側（下端部側）も天地が逆の関係となるだけで、図５の一端部側の模式図と同様の関係構成となっている。
【００３２】
そして、図６の（ａ）と（ｂ）の模式図のように、ロール部材５の一端部の丸軸部５３ａを上側の移動部材４Ｕの軸受け部材４５の軸受け用の長穴４６に嵌係合させ、他端部の丸軸部５３ａを下側の移動部材４Ｄの軸受け部材４５の軸受け用の長穴４６に嵌係合させてある。即ち、ロール部材５は上側の移動部材４Ｕの軸受け部材４５と下側の移動部材４Ｄの軸受け部材４５に保持されて縦向き姿勢に配設されている。そして、ロール部材５は上端部側の丸軸部５３ａと長穴４６の係合および下端部側の丸軸部５３ａと長穴４６の係合により、長穴４６の長軸方向の長さ範囲において黒板１００の板面に近づく方向と遠のく方向とに平行移動可能である。
【００３３】
（４）操作部材
装置１は、黒板１００の左右方向において、上下の移動部材４Ｕ・４Ｄをロール部材５と共に上下のレール部材３Ｕ・３Ｄに沿ってロール部材５から投影シート２を繰り出させる方向Ａ、及び、投影シート２をロール部材５に巻き取らせる方向Ｂに移動させるための操作部材７を有する。
【００３４】
本実施例においては、投影シート２の他端部に配設した投影シート端末部材６は図１の（ａ）と（ｂ）ように、黒板１００の板面の左右方向の左側を一端側、右側を他端側としたとき、黒板１００の他端側である右側の端部に適宜の固定手段（不図示）にて位置を固定して配設されている。従って、本実施例においては、上下の移動部材４Ｕ・４Ｄをロール部材５と共に上下のレール部材３Ｕ・３Ｄに沿って移動させて、ロール部材５から投影シート２を繰り出させる方向Ａは黒板１００の右側から左側に向う方向である。逆に、投影シート２をロール部材５に巻き取らせる方向Ｂは黒板１００の左側から右側に向う方向である。
【００３５】
図７は本実施例における操作部材７の分解斜視模式図である。操作部材７は上下のレール部材３Ｕ・３Ｄ間の間隔距離とほぼ同じ長さ寸法を有する縦長・細幅の板状部材である。この操作部材７の裏面側の上下部にはそれぞれ上側部材７１Ｕと７１Ｄが配設されている。本実施例において上側部材７１Ｕと下側部材７１ＤはそれぞれＬ型部材（Ｌ型金具）である。そのＬ型部材の一方の腕板部７１ａにはロール部材５の上端部側と下端部側の角軸部５３ｂに嵌係合する角穴７２が形成されており、他方の腕板部７１ｂは操作部材７の裏面に対してビス止めされる。下側部材７１Ｄは図７のように上側部材７１Ｕとは天地逆姿勢で操作部材７に取り付けられる。
【００３６】
操作部材７の表面側において操作部材７の長手中央部にはマグネット保持板７３と取っ手７５が配設されている。マグネット保持板７３は操作部材７の表面にビス止めされる第１板部７３ａと黒板１００の板面に対面する第２板部７３ｂとを有するＬ型部材である。第２板部７３ｂの黒板対向面にはマグネット７４が配設されている。取っ手７５は基部のネジ脚部７５ａが操作部材７の穴部７６に挿入され、ナット７７の締め込みにより操作部材７に対して取り付けられている。
【００３７】
操作部材７の上側部材７１Ｕは、図６の（ａ）の模式図のように上側の移動部材４Ｕの軸受け部材４５の軸受け用の長穴４６に嵌係合させたロール部材５の上端部の丸軸部５３ａより先の上向きの角軸部５３ｂに対して、図８の（ａ）の模式図のように一方の腕板部７１ａに形成されている角穴７２を嵌係合させることでロール部材５の上端部に連結されている。
【００３８】
同様に、操作部材７の下側部材７１Ｄは、図６の（ｂ）の模式図のように下側の移動部材４Ｄの軸受け部材４５の軸受け用の長穴４６に嵌係合させたロール部材５の下端部の丸軸部５３ａより先の下向きの角軸部５３ｂに対して、図８の（ｂ）の模式図のように一方の腕板部７１ａに形成されている角穴７２を嵌係合させることでロール部材５の下端部に連結されている。
【００３９】
ロール部材５の中央部の丸軸５３は上記のように上端部と下端部の角軸部５３ｂがそれぞれ操作部材７の上側部材７１Ｕと下側部材７１Ｄの角穴７２に嵌係合されていることで回転止めされている。また、操作部材７はロール部材５の回転軸線（丸軸５３）を中心に揺動可能（回動自由度を有する）である。
【００４０】
使用者が取っ手７５を握って操作部材７を黒板１００の右側から左側に向う方向Ａに引くことで、ロール部材５が同方向Ａに引かれる。そして、ロール部材５は上下のレール部材３Ｕ・３Ｄに沿って左右方向に移動可能な上下の移動部材３Ｕ・３Ｄに保持されているからロール部材５は黒板面に沿って方向Ａに移動する。逆に使用者が取っ手７５を握って操作部材７を黒板１００の左側から右側に向う方向Ｂに押すことでロール部材５が同方向Ｂに押され、ロール部材５は黒板面に沿って方向Ｂに移動する。
【００４１】
（５）装置操作
１）非使用状態
装置１の非使用時には、ロール部材５は、図１の（ｂ）のように、投影シート端末部材６を固定して配設した黒板１００の右端部側に、投影シート端末部材６に対して十分に寄せた位置に移動されている。このロール部材５の移動位置が装置１の非使用時位置である。
【００４２】
この装置１の非使用時位置において、投影シート２はそのほぼ全長部分が回転付勢機構部５４の回転付勢力によるロール部材５の回転でロール部材５に対してシート裏面側（マグネット層側）が外側となるようにロール巻きに巻き込まれている。これにより、黒板１００は板面が大きく開放されて黒板としての使用が可能である。
【００４３】
また、この装置１の非使用時位置において、操作部材７は自由状態においてマグネット保持板７３の第２板部７３ｂがマグネット７４を介して黒板１００の板面に磁着している。即ち、操作部材７は黒板１００に磁気的に係止されており、これにより装置１の不用意な動きが防止される。
【００４４】
２）使用状態への操作
装置１の使用時には、図１の（ｂ）のように非使用時位置に位置している装置１の操作部材７の取っ手７５を握って黒板１００の手前側に引く。そうすると、操作部材７がロール部材５の丸軸５３を中心に黒板１００の手前側に回動することで、マグネット保持板７３の第２板部７３ｂがマグネット７４による磁着力に抗して黒板１００の板面から離間する。即ち、操作部材７の黒板１００に対する磁気的係止が解除される。
【００４５】
そして、取っ手７５を手前側に引いたまま、操作部材７を方向Ａに引っ張る。これによりロール部材５が同方向Ａに引かれる。ロール部材５は上下のレール部材３Ｕ・３Ｄに沿って左右方向に移動可能な上下の移動部材３Ｕ・３Ｄに保持されているからロール部材５は黒板面に沿って方向Ａに移動する。
【００４６】
ロール部材５にロール巻きの投影シート２の他端部（右端部）は投影シート端末部材６により黒板１００の右端部に固定されているから、ロール部材５の方向Ａへの移動に伴い、ロール部材５が回転付勢機構部５４の回転付勢力に抗して逆回転してロール部材５にロール巻きにされている投影シート２が順次に繰り出されていく。この場合、投影シート２の裏面側はマグネット層であるからロール部材５から順次に繰り出されていく投影シート２は黒板１００の板面に磁着しながら黒板面に対して右側から左側に順次に展開していく。
【００４７】
本実施例においては、投影シート２の縦幅と横幅はそれぞれ黒板１００の板面の縦幅と横幅にほぼ対応しており、図１の（ａ）のように、投影シート２を黒板１００の板面にほぼ一杯に展開した状態して使用可能である。
【００４８】
操作部材７によりロール部材５を図１の（ａ）のように黒板１００の左端部側に十分に引き移動したら取っ手７５から手を離す。そうすると、マグネット７４と黒板１００と間の磁気力により操作部材７がロール部材５の丸軸５３を中心に奥側に回動してマグネット保持板７３の第２板部７３ｂがマグネット７４を介して黒板１００の板面に磁着する。即ち、黒板１００の左端部側に引き移動された操作部材７が黒板１００に対して磁気的に安定に係止されて装置１の不用意な動きが防止される。
【００４９】
なお、投影シート２の右側から左側への展開長さは任意であり、任意の長さ展開したら、取っ手７５から手を離すことで、操作部材７はその位置においてマグネット保持板７３により黒板１００に対して磁気的に係止される。
【００５０】
３）使用状態から非使用状態への操作
使用状態の装置１を非使用状態にする場合には、使用時位置に位置している装置１の操作部材７の取っ手７５を握って手前側に引くことで、マグネット保持板７３の第２板部７３ｂをマグネット７４による磁着力に抗して黒板１００の板面から離間させる。そして、取っ手７５を手前側に引いたまま、操作部材７を方向Ｂに押し移動する。これによりロール部材５も同方向Ｂに押される。ロール部材５は上下のレール部材３Ｕ・３Ｄに沿って左右方向に移動可能な上下の移動部材３Ｕ・３Ｄに保持されているからロール部材５は黒板面に沿って方向Ｂに移動する。
【００５１】
ロール部材５の方向Ｂへの移動に伴い、ロール部材５が回転付勢機構部５４の回転付勢力により回転して黒板１００の板面に磁着して展開している状態の投影シート２が磁着力に抗して黒板面から順次に剥離されてロール部材５にロール巻きに巻き込まれていく。そして、ロール部材５を、図１の（ｂ）のように、投影シート端末部材６を固定して配設した黒板１００の右端部側に投影シート端末部材６に対して十分に寄せた位置、即ち装置１の非使用時位置に移動させる。そして、取っ手７５から手を離ことで、操作部材７が装置１の非使用時位置においてマグネット保持板７３により黒板１００に対して磁気的に係止される。
【００５２】
（６）効果
１）上記の装置１は、装置の主体であるロール部材５が実質垂直な設置面である黒板１００の上下部に左右方向に延伸させて平行に固定して配設された上下のレール部材３Ｕ・３Ｄに保持されてレール部材に沿って移動可能な上下の移動部４Ｕ・４Ｄに保持されている。また、投影シート端末部材６も黒板１００に固定されて配設されている。従って、装置１は使用状態時も非使用状態時も設置面である黒板１００からのずれ動きや脱落を生じ得ない。そして、使用状態時においては、裏面がマグネット層である投影シート２は設置面である黒板１００の板面に磁着して展開されるから安定した展開状態が維持される。
【００５３】
２）ロール部材５は設置面である黒板１００の板面に対して近づく方向と遠のく方向とに平行移動可能に上端部と下端部がそれぞれ上下の移動部材４Ｕ・４Ｄに対して可動に支持されている。本実施例においては、ロール部材５は、上端部と下端部の丸軸部５３ａがそれぞれ上下の移動部材４Ｕ・４Ｄの側に設けられた長穴４６に係合しており、長穴４６の長軸方向の長さ範囲において設置面である黒板１００の板面に近づく方向と遠のく方向とに平行移動可能である。
【００５４】
この構成により、設置面である黒板１００の板面に対する投影シート２のロール部材５からの繰り出し展開、及び、設置面である黒板１００の板面に展開された投影シート２のロール部材５による巻き取りがスムーズになされる。
【００５５】
これについて図９を用いて説明する。（ａ）は装置１が非使用時位置に位置しているときのロール部材５の黒板１００に対する状態を示している。投影シート２のほぼ全長部分がロール部材５に巻き込まれており、ロール部材５に対するロール巻きの投影シート２の巻き径が大きい。この状態から投影シート２が黒板１００の板面に展開されていくにつれてロール部材５に対する投影シート２の巻き径が小さくなっていく。（ｂ）は投影シート２の展開途中時、（ｃ）は展開終了時を示している。
【００５６】
この場合、ロール部材５に対する投影シート２の巻き径が小さくなっていくのに対応して、ロール部材５の丸軸部５３ａが長穴４６に沿って黒板１００に向う方向に移動していく。即ち、ロール部材５は設置面である黒板１００の板面に対して近づく方向に平行移動していく。
【００５７】
そのため、投影シート２をロール巻きにしているロール部材５を黒板１００の板面に対して終始接触させた状態にして、あたかも巻物を板面に転がしながら展開するように、ロール巻きの投影シート２を黒板１００の板面に転がしてスムーズに展開させていくことができる。
【００５８】
また、逆に、黒板１００の板面に展開されている投影シート２をロール部材５に巻き取る場合は、巻き取りにつれてロール部材５に対するシート巻き径が大きくなり、それ対応して、ロール部材５の丸軸部５３ａが長穴４６に沿って黒板１００から遠のく方向に移動していく。即ち、ロール部材５は設置面である黒板１００の板面に対して遠のく方向に平行移動していく。
【００５９】
そのため、投影シート２をロール巻きにするロール部材５を黒板１００の板面に対して終始接触させた状態にして、投影シート２の巻き取りがなされる。この場合には、設置面である黒板１００の板面に磁着している投影シート２を、黒板１００の板面に接触しているロール部材５による曲率分離効果にて磁着力に抗して黒板１００の板面からスムーズに剥離させつつロール部材５に巻き取らせることができる。
【００６０】
《その他の事項》
（１）図１０は黒板１００が凹曲黒板（正面側から見て左右方向に沿って凹曲している設置面）である場合を示している。この場合は、上下のレール部材３Ｕ・３Ｄは前記凹曲に倣って左右方向に沿って凹曲させて配設することで、前記（６）の効果を奏する装置１とすることができる。
【００６１】
（２）装置１には、投影シート２を巻き取る、及び、繰り出すロール部材５の外側面を覆って防護するカバー部材を配設することもできる。図１１はその一例を示している。この例では、カバー部材８は操作部材７に支持されて配設されている。カバー部材８は上下の移動部材４Ｕ・４Ｄに支持させて配設することもできる。
【００６２】
（３）実施例では黒板１００の右端部を装置１の非使用時位置としているが、黒板１００の左端部を装置１の非使用時位置として、ロール部材５から投影シート２を繰り出させる方向Ａは黒板１００の左側から右側に向う方向とし、逆に、投影シート２をロール部材５に巻き取らせる方向Ｂは黒板１００の右側から左側に向う方向としてもよい。
【符号の説明】
【００６３】
１００・・設置面（磁性黒板）、１・・投影スクリーン装置、２・・投影シート、３Ｕ・３Ｄ・・レール部材、４Ｕ・４Ｄ・・移動部材（スライダ）、５・・ロール部材、５４・・回転付勢機構部、６・・投影シート端末部材、７・・操作部材、Ａ・・投影シートをロール部材から繰り出させる方向、Ｂ・・投影シートをロール部材に巻き取らせる方向
【図１】
2019020641.tif 000003
【図２】
2019020641.tif 000004
【図３】
2019020641.tif 000005
【図４】
2019020641.tif 000006
【図５】
2019020641.tif 000007
【図６】
2019020641.tif 000008
【図７】
2019020641.tif 000009
【図８】
2019020641.tif 000010
【図９】
2019020641.tif 000011
【図１０】
2019020641.tif 000012
【図１１】
2019020641.tif 000013